(57)【要約】【課題】  読取原稿に対して照射する光の点灯ノイズによる色むらの発生を防止する画像読取装置を提供する。【解決手段】  読取原稿に対して光を照射する照射手段（２）と、該照射手段（２）が照射した反射光を受光する受光手段（１０）と、を有し、読取原稿をライン単位で読み取る画像読取装置において、読取原稿の各ラインの読取開始タイミングを規定するライン同期信号に、インバータの発振回路を同期制御させ、照射手段（２）に光を点灯させる同期点灯において、照射手段（２）が照射する光の休止期間の終了タイミング、及び、光の点灯パルス発生タイミングを切り替え、任意の周期で副走査方向にパルス発生位置が重複しないように制御する。【選択図】  図１
2006074161.tif 000002
【特許請求の範囲】
【請求項１】
読取原稿に対して光を照射する照射手段と、該照射手段が照射した反射光を受光する受光手段と、を有し、前記読取原稿をライン単位で読み取る画像読取装置であって、
前記読取原稿の各ラインの読取開始タイミングを規定するライン同期信号に、インバータの発振回路を同期制御させ、前記照射手段に前記光を点灯させる同期点灯において、前記照射手段が照射する前記光の休止期間の終了タイミング、及び、前記光の点灯パルス発生タイミングを切り替える切替手段を有し、任意の周期で副走査方向にパルス発生位置が重複しないように制御することを特徴とする画像読取装置。
【請求項２】
前記読取原稿を読み取る際の条件を設定する読取条件設定手段を有し、
前記切替手段は、
前記光の休止期間の終了タイミング、及び、前記光の点灯パルス発生タイミングの切り替えを、前記読取条件設定手段により設定された条件に応じて制御することを特徴とする請求項１記載の画像読取装置。
【請求項３】
前記切替手段は、
前記光の休止期間の終了タイミング、及び、前記光の点灯パルス発生タイミングの主走査方向の基準位置からのシフト量を可変する可変手段を有することを特徴とする請求項１または２記載の画像読取装置。
【請求項４】
前記可変手段は、前記読取条件設定手段により設定された条件に応じて前記シフト量を可変することを特徴とする請求項３記載の画像読取装置。
【請求項５】
前記条件は、カラー画像原稿、白黒画像原稿、文字画像原稿、写真画像原稿を含む、前記原稿を読み取る際の状態であり、
前記切替手段は、前記条件が、カラー画像原稿、写真画像原稿の場合には、前記光の点灯パルス発生タイミングの切り替えを行い、前記条件が、白黒画像原稿、文字画像原稿の場合には、前記光の点灯パルス発生タイミングの切り替えを行わないことを特徴とする請求項２記載の画像読取装置。
【請求項６】
前記条件は、カラー画像原稿、白黒画像原稿、文字画像原稿、写真画像原稿を含む、前記原稿を読み取る際の状態であり、
前記可変手段は、前記条件が、カラー画像原稿、写真画像原稿の場合には、前記シフト量を大きくし、前記条件が、白黒画像原稿、文字画像原稿の場合には、前記シフト量を小さくすることを特徴とする請求項４記載の画像読取装置。
【請求項７】
請求項１から６の何れか１項に記載の画像読取装置を搭載し、該搭載した画像読取装置が読み取った原稿画像を印刷形成することを特徴とする画像形成装置。
【請求項８】
読取原稿に対して光を照射する照射手段と、該照射手段が照射した反射光を受光する受光手段と、を有し、前記読取原稿をライン単位で読み取る画像読取装置における画像読取方法であって、
前記読取原稿の各ラインの読取開始タイミングを規定するライン同期信号に、インバータの発振回路を同期制御させ、前記照射手段に前記光を点灯させる同期点灯において、前記照射手段が照射する前記光の休止期間の終了タイミング、及び、前記光の点灯パルス発生タイミングを切り替える切替工程を、前記画像読取装置が行い、任意の周期で副走査方向にパルス発生位置が重複しないように制御することを特徴とする画像読取方法。
【請求項９】
前記読取原稿を読み取る際の条件を設定する読取条件設定工程を、前記画像読取装置が行い、
前記切替工程は、
前記読取条件設定工程により設定された条件に応じて、前記光の休止期間の終了タイミング、及び、前記光の点灯パルス発生タイミングの切り替えを制御することを特徴とする請求項８記載の画像読取方法。
【請求項１０】
前記光の休止期間の終了タイミング、及び、前記光の点灯パルス発生タイミングの主走査方向の基準位置からのシフト量を可変する可変工程を、前記画像読取装置が行うことを特徴とする請求項８または９記載の画像読取方法。
【請求項１１】
前記可変工程は、前記読取条件設定工程により設定された条件に応じて前記シフト量を可変することを特徴とする請求項１０記載の画像読取方法。
【請求項１２】
前記条件は、カラー画像原稿、白黒画像原稿、文字画像原稿、写真画像原稿を含む、前記原稿を読み取る際の状態であり、
前記切替工程は、前記条件が、カラー画像原稿、写真画像原稿の場合には、前記光の点灯パルス発生タイミングの切り替えを行い、前記条件が、白黒画像原稿、文字画像原稿の場合には、前記光の点灯パルス発生タイミングの切り替えを行わないことを特徴とする請求項９記載の画像読取方法。
【請求項１３】
前記条件は、カラー画像原稿、白黒画像原稿、文字画像原稿、写真画像原稿を含む、前記原稿を読み取る際の状態であり、
前記可変工程は、前記条件が、カラー画像原稿、写真画像原稿の場合には、前記シフト量を大きくし、前記条件が、白黒画像原稿、文字画像原稿の場合には、前記シフト量を小さくすることを特徴とする請求項１１記載の画像読取方法。
【請求項１４】
読取原稿に対して光を照射する照射手段と、該照射手段が照射した反射光を受光する受光手段と、を有し、前記読取原稿をライン単位で読み取る画像読取装置において実行させる画像読取プログラムであって、
前記読取原稿の各ラインの読取開始タイミングを規定するライン同期信号に、インバータの発振回路を同期制御させ、前記照射手段に前記光を点灯させる同期点灯において、前記照射手段が照射する前記光の休止期間の終了タイミング、及び、前記光の点灯パルス発生タイミングを切り替える切替処理を、前記画像読取装置に実行させ、任意の周期で副走査方向にパルス発生位置が重複しないように制御させることを特徴とする画像読取プログラム。
【請求項１５】
前記読取原稿を読み取る際の条件を設定する読取条件設定処理を、前記画像読取装置に実行させ、
前記切替処理は、
前記読取条件設定処理により設定された条件に応じて、前記光の休止期間の終了タイミング、及び、前記光の点灯パルス発生タイミングの切り替えを制御することを特徴とする請求項１４記載の画像読取プログラム。
【請求項１６】
前記光の休止期間の終了タイミング、及び、前記光の点灯パルス発生タイミングの主走査方向の基準位置からのシフト量を可変する可変処理を、前記画像読取装置に実行させることを特徴とする請求項１４または１５記載の画像読取プログラム。
【請求項１７】
前記可変処理は、前記読取条件設定処理により設定された条件に応じて前記シフト量を可変することを特徴とする請求項１６記載の画像読取プログラム。
【請求項１８】
前記条件は、カラー画像原稿、白黒画像原稿、文字画像原稿、写真画像原稿を含む、前記原稿を読み取る際の状態であり、
前記切替処理は、前記条件が、カラー画像原稿、写真画像原稿の場合には、前記光の点灯パルス発生タイミングの切り替えを行い、前記条件が、白黒画像原稿、文字画像原稿の場合には、前記光の点灯パルス発生タイミングの切り替えを行わないことを特徴とする請求項１５記載の画像読取プログラム。
【請求項１９】
前記条件は、カラー画像原稿、白黒画像原稿、文字画像原稿、写真画像原稿を含む、前記原稿を読み取る際の状態であり、
前記可変処理は、前記条件が、カラー画像原稿、写真画像原稿の場合には、前記シフト量を大きくし、前記条件が、白黒画像原稿、文字画像原稿の場合には、前記シフト量を小さくすることを特徴とする請求項１７記載の画像読取プログラム。
【請求項２０】
請求項１４から１９の何れか１項に記載の画像読取プログラムを記録したコンピュータ読み取り可能な記録媒体。
【発明の詳細な説明】
【技術分野】
【０００１】
本発明は、複写機、プリンタ、ファクシミリ、複合機等の画像形成装置に関し、特に、光学制御を行い、画像データを読み取る画像読取装置、その画像読取装置を搭載した画像形成装置、画像読取方法、画像読取プログラム及び記録媒体に関するものである。
【背景技術】
【０００２】
従来の画像読取装置における画像読取方法は、各ラインの読取周期と光量制御周期（ランプ点灯周期）とが非同期であるために、１ラインの読取周期に対し、ランプ点灯周期が十分に小さくない場合には、１ライン読取周期の中に入るランプ点灯パルス数が、各ラインの読取周期毎にバラツキ、そのバラツキにより各ラインの読取周期毎の積算光量に誤差が発生し、副走査方向に対して読取画像の色むらを発生させていた。
【０００３】
このような問題を解決すべく、本発明より先に出願された技術文献として、ランプに給電する給電装置のインバータの発振器を周波数可変発振器とし、該周波数可変発振器からの発振信号を外部同期信号に位相ロックするように周波数可変発振器を制御することで、光量変動を伴うことなく誘電体バリア放電蛍光ランプを外部同期信号に同期させて発光させているものがある（例えば、特許文献１参照）。
【特許文献１】特開２０００−３２３２９２号公報
【発明の開示】
【発明が解決しようとする課題】
【０００４】
しかしながら、上記特許文献１のように、周波数を可変させ同期させて発光させる方法は、ランプ点灯周波数が可変することもあり、ランプの最適な点灯条件（点灯周波数）から外れる可能があり、ランプ点灯ノイズによる読取画像の色むらを発生させてしまう虞もある。また、周波数を可変させて発光させる方法は、回路構成が複雑となる。
【０００５】
本発明は、上記事情に鑑みてなされたものであり、読取原稿に対して照射する光の点灯ノイズによる色むらの発生を防止する画像読取装置、画像形成装置、画像読取方法、画像読取プログラム及び記録媒体を提供することを目的とするものである。
【課題を解決するための手段】
【０００６】
かかる目的を達成するために、本発明は以下の特徴を有することとする。
【０００７】
本発明にかかる画像読取装置は、読取原稿に対して光を照射する照射手段と、該照射手段が照射した反射光を受光する受光手段と、を有し、読取原稿をライン単位で読み取る画像読取装置であって、読取原稿の各ラインの読取開始タイミングを規定するライン同期信号に、インバータの発振回路を同期制御させ、照射手段に光を点灯させる同期点灯において、照射手段が照射する光の休止期間の終了タイミング、及び、光の点灯パルス発生タイミングを切り替える切替手段を有し、任意の周期で副走査方向にパルス発生位置が重複しないように制御することを特徴とするものである。
【０００８】
また、本発明にかかる画像読取装置は、読取原稿を読み取る際の条件を設定する読取条件設定手段を有し、切替手段は、光の休止期間の終了タイミング、及び、光の点灯パルス発生タイミングの切り替えを、読取条件設定手段により設定された条件に応じて制御することを特徴とするものである。
【０００９】
また、本発明にかかる画像読取装置において、切替手段は、光の休止期間の終了タイミング、及び、光の点灯パルス発生タイミングの主走査方向の基準位置からのシフト量を可変する可変手段を有することを特徴とするものである。
【００１０】
また、本発明にかかる画像読取装置において、可変手段は、読取条件設定手段により設定された条件に応じてシフト量を可変することを特徴とするものである。
【００１１】
また、本発明にかかる画像読取装置において、条件は、カラー画像原稿、白黒画像原稿、文字画像原稿、写真画像原稿を含む、原稿を読み取る際の状態であり、切替手段は、条件が、カラー画像原稿、写真画像原稿の場合には、光の点灯パルス発生タイミングの切り替えを行い、条件が、白黒画像原稿、文字画像原稿の場合には、光の点灯パルス発生タイミングの切り替えを行わないことを特徴とするものである。
【００１２】
また、本発明にかかる画像読取装置において、条件は、カラー画像原稿、白黒画像原稿、文字画像原稿、写真画像原稿を含む、原稿を読み取る際の状態であり、可変手段は、条件が、カラー画像原稿、写真画像原稿の場合には、シフト量を大きくし、条件が、白黒画像原稿、文字画像原稿の場合には、シフト量を小さくすることを特徴とするものである。
【００１３】
また、本発明にかかる画像形成装置は、上記記載の画像読取装置を搭載し、該搭載した画像読取装置が読み取った原稿画像を印刷形成することを特徴とするものである。
【００１４】
また、本発明にかかる画像読取方法は、読取原稿に対して光を照射する照射手段と、該照射手段が照射した反射光を受光する受光手段と、を有し、読取原稿をライン単位で読み取る画像読取装置における画像読取方法であって、読取原稿の各ラインの読取開始タイミングを規定するライン同期信号に、インバータの発振回路を同期制御させ、照射手段に光を点灯させる同期点灯において、照射手段が照射する光の休止期間の終了タイミング、及び、光の点灯パルス発生タイミングを切り替える切替工程を、画像読取装置が行い、任意の周期で副走査方向にパルス発生位置が重複しないように制御することを特徴とするものである。
【００１５】
また、本発明にかかる画像読取方法は、読取原稿を読み取る際の条件を設定する読取条件設定工程を、画像読取装置が行い、切替工程は、読取条件設定工程により設定された条件に応じて、光の休止期間の終了タイミング、及び、光の点灯パルス発生タイミングの切り替えを制御することを特徴とするものである。
【００１６】
また、本発明にかかる画像読取方法は、光の休止期間の終了タイミング、及び、光の点灯パルス発生タイミングの主走査方向の基準位置からのシフト量を可変する可変工程を、画像読取装置が行うことを特徴とするものである。
【００１７】
また、本発明にかかる画像読取方法において、可変工程は、読取条件設定工程により設定された条件に応じてシフト量を可変することを特徴とするものである。
【００１８】
また、本発明にかかる画像読取方法において、条件は、カラー画像原稿、白黒画像原稿、文字画像原稿、写真画像原稿を含む、原稿を読み取る際の状態であり、切替工程は、条件が、カラー画像原稿、写真画像原稿の場合には、光の点灯パルス発生タイミングの切り替えを行い、条件が、白黒画像原稿、文字画像原稿の場合には、光の点灯パルス発生タイミングの切り替えを行わないことを特徴とするものである。
【００１９】
また、本発明にかかる画像読取方法において、条件は、カラー画像原稿、白黒画像原稿、文字画像原稿、写真画像原稿を含む、原稿を読み取る際の状態であり、可変工程は、条件が、カラー画像原稿、写真画像原稿の場合には、シフト量を大きくし、条件が、白黒画像原稿、文字画像原稿の場合には、シフト量を小さくすることを特徴とするものである。
【００２０】
また、本発明にかかる画像読取プログラムは、読取原稿に対して光を照射する照射手段と、該照射手段が照射した反射光を受光する受光手段と、を有し、読取原稿をライン単位で読み取る画像読取装置において実行させる画像読取プログラムであって、読取原稿の各ラインの読取開始タイミングを規定するライン同期信号に、インバータの発振回路を同期制御させ、照射手段に光を点灯させる同期点灯において、照射手段が照射する光の休止期間の終了タイミング、及び、光の点灯パルス発生タイミングを切り替える切替処理を、画像読取装置に実行させ、任意の周期で副走査方向にパルス発生位置が重複しないように制御させることを特徴とするものである。
【００２１】
また、本発明にかかる画像読取プログラムは、読取原稿を読み取る際の条件を設定する読取条件設定処理を、画像読取装置に実行させ、切替処理は、読取条件設定処理により設定された条件に応じて、光の休止期間の終了タイミング、及び、光の点灯パルス発生タイミングの切り替えを制御することを特徴とするものである。
【００２２】
また、本発明にかかる画像読取プログラムは、光の休止期間の終了タイミング、及び、光の点灯パルス発生タイミングの主走査方向の基準位置からのシフト量を可変する可変処理を、画像読取装置に実行させることを特徴とするものである。
【００２３】
また、本発明にかかる画像読取プログラムにおいて、可変処理は、読取条件設定処理により設定された条件に応じてシフト量を可変することを特徴とするものである。
【００２４】
また、本発明にかかる画像読取プログラムにおいて、条件は、カラー画像原稿、白黒画像原稿、文字画像原稿、写真画像原稿を含む、原稿を読み取る際の状態であり、切替処理は、条件が、カラー画像原稿、写真画像原稿の場合には、光の点灯パルス発生タイミングの切り替えを行い、条件が、白黒画像原稿、文字画像原稿の場合には、光の点灯パルス発生タイミングの切り替えを行わないことを特徴とするものである。
【００２５】
また、本発明にかかる画像読取プログラムにおいて、条件は、カラー画像原稿、白黒画像原稿、文字画像原稿、写真画像原稿を含む、原稿を読み取る際の状態であり、可変処理は、条件が、カラー画像原稿、写真画像原稿の場合には、シフト量を大きくし、条件が、白黒画像原稿、文字画像原稿の場合には、シフト量を小さくすることを特徴とするものである。
【００２６】
また、本発明にかかる記録媒体は、上記記載の画像読取プログラムをコンピュータ読み取り可能な記録媒体に記録したことを特徴とするものである。
【発明の効果】
【００２７】
本発明は、読取原稿に対して光を照射する照射手段と、該照射手段が照射した反射光を受光する受光手段と、を有し、読取原稿をライン単位で読み取る画像読取装置において、読取原稿の各ラインの読取開始タイミングを規定するライン同期信号に、インバータの発振回路を同期制御させ、照射手段に光を点灯させる同期点灯において、照射手段が照射する光の休止期間の終了タイミング、及び、光の点灯パルス発生タイミングを切り替え、任意の周期で副走査方向にパルス発生位置が重複しないように制御することで、読取原稿に対して照射する光の点灯ノイズによる色むらの発生を防止することが可能となる。
【発明を実施するための最良の形態】
【００２８】
まず、本実施形態における画像読取装置の特徴について説明する。
【００２９】
本実施形態における画像読取装置は、読取原稿に対して光を照射する照射手段（２）と、該照射手段（２）が照射した反射光を受光する受光手段（１０）と、を有し、読取原稿をライン単位で読み取る画像読取装置において、読取原稿の各ラインの読取開始タイミングを規定するライン同期信号に、インバータの発振回路を同期制御させ、照射手段（２）に光を点灯させる同期点灯において、照射手段（２）が照射する光の休止期間の終了タイミング、及び、光の点灯パルス発生タイミングを切り替え、任意の周期で副走査方向にパルス発生位置が重複しないように制御する。これにより、読取原稿に対して照射する光の点灯ノイズによる色むらの発生を防止することが可能となるものである。以下、添付図面を参照しながら、本実施形態における画像読取装置について説明する。
【００３０】
（第１の実施形態）
まず、図１を参照しながら、本実施形態における画像読取装置の構成について説明する。なお、図１は、本実施形態におけるカラー画像読取装置の全体構成を示す。
【００３１】
まず、本実施形態における画像読取装置のスキャナ本体について説明する。
【００３２】
本実施形態における画像読取装置は、原稿台ガラス（８）上に置かれた原稿を、照明ランプ（２）により照射することになる。なお、第１ミラー（３）と照明ランプ（２）とは、第１キャリッジ（３１）に搭載されており、原稿台ガラス（８）の下部を移動しながら走査することになる。
【００３３】
原稿台ガラス（８）上に置かれた原稿から反射した反射光は、第１ミラー（３）及び第２キャリッジ（３２）上の第２ミラー（５）、第３ミラー（４）で走査され、レンズ（１）により集束され、ＣＣＤが搭載されたＳＢＵ（１０）に照射されることで電気信号に光電変換されることになる。
【００３４】
なお、第１ミラー（３）、照明ランプ（２）を搭載する第１キャリッジ（３１）、及び、第２ミラー（５）、第３ミラー（４）を搭載する第２キャリッジ（３２）は、走行体モータ（９）を駆動源として、キャリッジホーム位置から最大走査領域方向（図１の左右方向）に移動可能な構成となっている。
【００３５】
次に、本実施形態の画像読取装置のＡＲＤＦ（自動両面原稿搬送装置）について説明する。
【００３６】
原稿台（１１）の原稿ガイド（１２）に沿って積載された原稿は、片面原稿読み取りを選択した場合には、呼び出しコロ（１４）、給紙ベルト（１６）により搬送コロ（１５）、分離コロ（１７）、第１搬送ローラによりＤＦ用原稿ガラス（６）と反射ガイド板（２０）との間の読取位置を経て、第２搬送ローラ（２１）及び排紙ローラ（２３）へ送り込まれ、原稿が排出されることになる。なお、原稿は、排紙センサ（２２）により、排出されたことが検知されることになる。
【００３７】
なお、ＤＦ用原稿ガラス（６）の前には、レジストセンサ（１９）が配置されており、読取位置への紙の進入（先端）や後端部のタイミングを検知することになる。
【００３８】
一方、両面原稿読み取りを選択した場合には、呼び出しコロ（１４）、給紙ベルト（１６）により搬送コロ（１５）、分離コロ（１７）、第１搬送ローラによりＤＦ用原稿ガラス（６）と反射ガイド板（２０）との間の読取位置を経て、第２搬送ローラ（２１）及び排紙ローラ（２３）へ送り込まれ、上述した片面原稿読み取りの場合のように、原稿を排出せず、分岐爪（２４）が下方へ切り替えられ、反転ローラ（２５）により反転テーブル（２６）上へ原稿が移送されることになる。これにより、原稿の表面の読み取りが完了することになる。なお、原稿の後端が排紙ローラ（２３）を抜けた後に分岐爪（２４）が上方へ切り替えられ、一旦、反転ローラ（２５）が停止することになる。
【００３９】
次に、原稿の裏面の読み取りを実施するためには、一旦停止した反転ローラ（２５）を、上記とは逆方向に回転させることになり、原稿が反転テーブル（２６）から第１搬送ローラ（１８）の方向へ搬送され、第１搬送ローラ（１８）を経て表面と同様にＤＦ用原稿ガラス（６）と反射ガイド板（２０）との間の読取位置を経て、第２搬送ローラ（２１）及び排紙ローラ（２３）へ送り込まれ、その後、原稿が排出されることになる。
【００４０】
なお、両面原稿の読み取りは、表面、裏面の読み取り共に、ＤＦ用原稿ガラス（６）と反射ガイド板（２０）との間の読取位置を通過する際に、読取位置の近傍に停止されている照明ランプ（２）により照射され、その原稿からの反射光は、第１ミラー（３）及び第２ミラー（５）、第３ミラー（４）で走査され、レンズ（１）により集束され、ＣＣＤが搭載されたＳＢＵ（１０）に照射されることで電気信号に光電変換されることになる。
【００４１】
なお、ＡＲＤＦの呼び出しコロ（１４）、給紙ベルト（１６）の搬送コロ（１５）、分離コロ（１７）の給紙機構は、給紙モータ（Ｍ１：図２参照）により駆動されることになる。また、第１搬送ローラ（１８）、第２搬送ローラ（２１）、排紙ローラ（２３）、反転ローラ（２５）の搬送機構は、搬送モータ（Ｍ２：図２参照）により駆動されることになる。
【００４２】
また、ＡＲＤＦには、原稿台（１１）に原稿がセットされているか否かを検知するセットセンサ（１３）と、原稿サイズを検知するための幅サイズ検知基板（２８）、第１の原稿長さセンサ（２９）、第２の原稿長さセンサ（３０）と、原稿の後端を検知するための原稿後端センサ（２７）と、が搭載されている。また、スキャナ本体には、スキャナ本体及びＡＲＤＦを含めたカラー画像読取装置の動作制御を行うためのＳＣＵ（７）が搭載されている。
【００４３】
次に、図２、図３を参照しながら、図１に示す画像読取装置の機能構成について説明する。なお、図２は、図１に示す画像読取装置の機能構成を示す制御ブロック図である。また、図３は、本実施形態の画像読取装置での制御動作を説明するための機能ブロック図である。
【００４４】
なお、図２に示す、ＡＤＵ（４２）は、Auto  Documento  feeder  Unitであり、ＳＢＵ（１０）は、Sensor  Board  Unitであり、ＶＩＯＢ（３３）は、Video  I/O  Boardであり、ＰＳＵ（４４）は、Power  Supply  Unitであり、ＳＯＰ（４３）は、Scannser  Operation  Panelであり、ＯＩＰＵ（３６）は、Oparation  Interface  Panel  Unitであり、ＮＩＣ（４１）は、Network  Interface  Controlであり、ＳＣＵ（７）は、Scanner  Control  Unitである。
【００４５】
図３に示すように、ＳＢＵ（１０）上のＣＣＤ（１００）に入光した原稿の反射光は、ＣＣＤ（１００）内において、光の強度に応じた電圧値を持つアナログ信号に変換し、該変換したアナログ信号を、奇数ビットと偶数ビットとに分離してＶＩＯＢ（３３）に出力することになる。
【００４６】
ＳＢＵ（１０）のＣＣＤ（１００）から送信されたアナログ画像信号は、ＶＩＯＢ（３３）の具備するアナログ処理回路（１０１）において暗電位部分を取り除き、該暗電位部分を取り除いたアナログ信号の奇数ビットと偶数ビットとを合成し、所定の振幅にゲイン調整した後に、Ａ／Ｄコンバータ（１０２）に入力し、デジタル信号に変換することになる。
【００４７】
デジタル信号に変換された画像信号は、シェーディング部（１０３）によりシェーディング補正され、ＶＩＯＢ（３３）からＳＣＵ（７）に送信され、ＳＣＵ（７）の具備するＩＰＵ（１０４）で、ガンマ補正、ＭＴＦ補正等の画像処理が行なわれ、同期信号画像クロックと共に、ビデオ信号として、画像データ記憶手段（ＳＤＲＡＭ（１０６））を管理するメモリ−コントローラ（１０５）に入力され、メモリコントローラ（１０５）を介してＳＤＲＡＭ（１０６）で構成される画像メモリに蓄えられることになる。
【００４８】
ＳＤＲＡＭ（１０６）で構成される画像メモリに蓄えられた画像データは、メモリコントローラ（１０５）により外部Ｉ／Ｆドライバ（１０７）に送信され、パソコンやプリンタ等の外部出力装置（１２０）に転送されることになる。なお、図３に示す外部Ｉ／Ｆドライバ（１０７）は、図２に示すＳＣＵ（７）のＳＣＳＩ、ＩＣ  ｃａｒｄ、ＩＳＩＣ（４０）のＩＥＥＥ１３９４、ＮＩＣ（４１）のＬＡＮ、ＩＣ  ｃａｒｄ、などを含むものとする。
【００４９】
なお、ＳＣＵ（７）上には、図３に示すように、ＣＰＵ（１０８）、ＲＯＭ（１０９）、ＲＡＭ（１１０）、モータドライバ（１１２）が実装されており、ＣＰＵ（１０８）は、ＶＩＯＢ（３３）を介して、スキャナ本体のステッピングモータである走行体モータ（９）、ＡＲＤＦの給紙モータ（Ｍ１：図２参照）、搬送モータ（Ｍ２：図２参照）のタイミング制御を行っている。また、ＣＰＵ（１０８）は、ＶＩＯＢ（３３）を介してランプ安定器（１１４）の制御も行っている。
【００５０】
また、ＣＰＵ（１０８）は、ＶＩＯＢ（３３）を介してＳＯＰ（本体操作パネル）（４３）に接続されている。なお、ＳＯＰ（４３）上には、スタートスイッチ（図示せず）と停止スイッチ（図示せず）とが実装されている。本体操作パネル（ＳＯＰ）（４３）上のスイッチが押下されると、押下信号がＳＯＰ（４３）からＶＩＯＢ（３３）を介してＣＰＵ（１０８）に出力され、ＣＰＵ（１０８）は、本体操作パネル（ＳＯＰ）（４３）上のスイッチがＯＮされたことを検出することになる。
【００５１】
なお、図２に示すＡＤＵ（４２）は、ＡＲＤＦ部に用いる電装部品の電力供給を中継する機能を有している。
【００５２】
次に、図４を参照しながら、本実施形態の画像読取装置における読取開始時のタイミング制御について説明する。なお、図４は、画像読取装置の具備する照明ランプ（２）を制御する際の構成を示すブロック図である。
【００５３】
図４に示す、定電圧電源（１３０）は、図２に示すＰＳＵ（４４）内に搭載され、インバータ（１３１）と、点灯制御部（１３５）と、は、図２及び図３に示すランプ安定器（１１４）内に搭載されることになる。また、ＴＧ−ＩＮＶ（ライン同期信号）（１４２）、ＣＬＫ（クロック信号）（１４５）、ＣＮＴ（コントロール信号）（１４３）、ＧＡＴＥ（ゲート信号）（１４４）は、図３に示すＣＰＵ（１０８）から出力されることになる。
【００５４】
本実施形態における画像読取装置は、図４に示すように、各ラインの読取開始タイミングを規定するライン同期信号（ＴＧ−ＩＮＶ）（１４２）と、クロック信号（ＣＬＫ）（１４５）と、コントロール信号（ＣＮＴ）（１４３）と、ゲート信号（ＧＡＴＥ）（１４４）と、がＣＰＵ（１０８）から点灯制御部（１３５）に入力されることで、点灯制御部（１３５）が、インバータ回路（１３１）を制御することになる。
【００５５】
インバータ回路（１３１）からの出力電圧は、昇圧トランス（１３２）を経由して照明ランプ（２）に印加されることになる。なお、コントロール信号（ＣＮＴ）（１４３）は、照明ランプ（２）のＯＮ／ＯＦＦ制御信号であり、ゲート信号（ＧＡＴＥ）（１４４）は、照明ランプ（２）の休止期間の制御信号である。
【００５６】
なお、同期点灯の場合には、各ラインの読み取り開始タイミングを規定するライン同期信号（ＴＧ−ＩＮＶ）（１４２）に、インバータ回路（１３１）の発振回路（図示せず）を同期制御させて照明ランプ（２）を点灯させることになる。
【００５７】
次に、図５を参照しながら、図４に示すインバータ回路（１３１）、点灯制御部（１３５）の詳細構成について説明する。なお、図５は、インバータ回路（１３１）、点灯制御部（１３５）の詳細構成の一例を示す図である。
【００５８】
図５に示すように、ランプＯＮ／ＯＦＦ制御信号（ＣＮＴ）（１４３）がｌｏｗレベルの時は、トランジスタ（ＴＲ１）がオンし、定電圧電源（１３０）の電力がインバータ制御用ＩＣ（ＩＣ１）に供給されることになる。このように、定電圧電源（１３０）の電力が供給されることで、インバータ制御用ＩＣ（ＩＣ１）が起動することになる。
【００５９】
インバータ制御用ＩＣ（ＩＣ１）は、スイッチング素子（ＦＥＴ１）を駆動するためのドライバを内蔵しており、定電圧電源（１３０）から電力が供給された際にインバータ制御用ＩＣ（ＩＣ１）が起動し、インバータ制御用ＩＣ（ＩＣ１）に入力されるクロック信号（ＣＬＫ）（１４５）に応じて、所定の周期でパルスを発振し、該発振した発振パルスにより内臓ドライバを駆動し、内蔵ドライバの出力信号をスイッチング素子（ＦＥＴ１）に出力することになる。
【００６０】
スイッチング素子（ＦＥＴ１）は、インバータ制御用ＩＣ（ＩＣ１）から出力信号が入力されることでスイッチング素子（ＦＥＴ１）の駆動を開始することになる。
【００６１】
なお、スイッチング素子（ＦＥＴ１）は、インバータ制御用ＩＣ（ＩＣ１）から出力信号が入力され、スイッチング素子（ＦＥＴ１）がＯＮになると、定電圧電源（１３０）→昇圧トランス（１３２）の一次側巻線→スイッチング素子（ＦＥＴ１）の経路で電流が流れることになり、昇圧トランス（１３２）にエネルギーが蓄えられることになる。
【００６２】
また、スイッチング素子（ＦＥＴ１）は、インバータ制御用ＩＣ（ＩＣ１）から出力信号が入力されず、スイッチング素子（ＦＥＴ１）がＯＦＦになると、昇圧トランス（１３２）に流れていた電流が遮断され、昇圧トランス（１３２）に蓄えられていたエネルギーが放出され、昇圧トランス（１３２）の一次側、二次側に急峻な立ち上がりを持つ電圧波形が発生することになる。この電圧波形は、時間とともに減衰し、スイッチング素子（ＦＥＴ１）が、ＯＮになった後に、ＯＦＦになると、再び急峻な立ち上がりを持つ電圧波形が発生することになる。すなわち、スイッチング素子（ＦＥＴ１）がＯＮ／ＯＦＦされる度に、急峻な立ち上がりを持つ電圧波形が発生することになり、照明ランプ（２）に繰り返し電流が流れ、照明ランプ（２）が点灯し、光が放出されることになる。なお、インバータ制御用ＩＣ（ＩＣ１）は、ゲート信号（ＧＡＴＥ）（１４４）が入力されている期間は、スイッチング素子（ＦＥＴ１）への出力信号を停止することになる。
【００６３】
次に、図６、図７を参照しながら、画像読取時の制御信号のタイミング制御方法について説明する。
【００６４】
図６は、ランプＯＮ／ＯＦＦ信号（ＣＮＴ）と、ライン同期信号（ＴＧ−ＩＮＶ）と、のタイミングを示したものであり、ＣＮＴとは別に、点灯周波数の位相同期をとる目的で、ＴＧ−ＩＮＶをインバータ制御部（ＩＣ１）に供給することになる。なお、ＣＮＴ信号とＴＧ−ＩＮＶ信号とは非同期で供給するものとし、ＣＮＴ信号のＯＮ／ＯＦＦ（立ち下がり、立ち上がり）は任意の時間とする。
【００６５】
図７は、ＴＧ−ＩＮＶ、ＧＡＴＥ及びＣＬＫとインバータ出力（光波形）のタイミングを示したものである。図７に示すＴ１及びＴ２がランプ休止期間を示しており、必要原稿面照度に応じて、ＧＡＴＥ信号の出力期間を制御し、ランプ休止期間を設けることで、１ライン当りの点灯パルス数を任意の値に設定することが可能となる。
【００６６】
本実施形態における画像読取装置は、図７に示すように、ＧＡＴＥ信号を制御し、ランプ休止期間の終了タイミングを切り替えたり、ＣＬＫ信号を制御し、ランプ点灯パルス発生タイミングを切り替えたりすることで、主走査方向のランプ点灯パルス発生タイミングを任意に制御し、任意の周期で副走査方向にパルス発生位置が重複しないように制御することになる。
【００６７】
なお、副走査方向とは、原稿の読み取り方向（図１の左右方向）を示し、主走査方向は、副走査方向に直交する方向を示す。
【００６８】
このように、本実施形態における画像読取装置は、各ラインの読取開始タイミングを規定するライン同期信号にインバータの発振回路を同期制御させてランプを点灯させる同期点灯において、ランプ休止期間の終了タイミング、及び、ライン同期信号に対するランプ点灯パルス発生タイミングを切り替え、任意の周期で副走査方向にパルス発生位置が重複しないように制御することで、ランプ点灯ノイズによる副走査方向の縦白筋を軽減することになり、読取原稿の色むらの発生を防止することが可能となる。
【００６９】
（第２の実施形態）
次に、第２の実施形態について説明する。
【００７０】
第２の実施形態における画像読取装置は、ランプ休止期間の終了タイミング、及び、ランプ点灯パルス発生タイミングの主走査方向の基準位置からのシフト量を、原稿の読み取りモード（カラー原稿／白黒原稿、文字原稿／写真原稿等）に応じて可変し、副走査方向にランプ点灯パルス発生位置が重複しないように制御することを特徴とするものである。以下、図７、図８を参照しながら、画像読取時の制御信号のタイミング制御方法について説明する。なお、図８は、本実施形態の画像読取装置における制御信号のタイミングチャートを示したものである。
【００７１】
本実施形態における画像読取装置は、例えば、ランプ点灯周波数と必要原稿面照度とに応じて、初期状態のランプ休止期間の開始、及び、終了タイミングを図７に示すように制御していた場合に、ＧＡＴＥ信号、及び、ＣＬＫ信号を制御し、ライン同期信号（ＴＧ−ＩＮＶ）に対してライン毎にランプ休止期間の終了タイミング、及び、ランプ点灯パルス発生タイミングを任意の周期で副走査方向にパルス発生位置が重複しないように制御することになる。なお、図８に、初期状態のタイミング０に対してタイミングをシフトさせた場合の一例を示す。
【００７２】
副走査ｎライン目で、タイミング０（実線）、ｎ＋１ライン目でタイミング２（一点鎖線）、ｎ＋２ライン目でタイミング４（点線）、ｎ＋３ライン目でタイミング１（破線）、ｎ＋４ライン目でタイミング３（ニ点鎖線）、ｎ＋５ライン目でタイミング０（実線）、・・ ・・ ・のように任意の周期（図８では、副走査方向に５ライン周期）でパルス発生位置が重複しないようにランプ点灯発生タイミングを制御することで、副走査方向のランプ点灯パルス発生タイミングがランダム（不規則）になり、ランプ点灯ノイズによる副走査方向の縦白筋を軽減することが可能となる。なお、図８は、一例としてタイミング制御を副走査５ライン周期でタイミング０〜４の５通りの場合について示したが、本実施形態においては、副走査ｎライン周期でタイミング０〜ｎ−１のｎ通りのように任意の複数の周期でタイミング制御を行うことも可能である。ただし、任意の複数の周期でタイミング制御を行う場合には、１ライン当りの点灯パルス数が各ラインにおいて一致するように制御することになる。
【００７３】
また、ランプ休止期間の終了タイミング、及び、ランプ点灯パルス発生タイミングの主走査方向の基準位置からのシフト量を、読取モード（カラー原稿／白黒原稿、文字原稿／写真原稿等）に応じて変化させることも可能である。
【００７４】
例えば、カラー／写真モード等のようにランプ点灯ノイズによる副走査方向の縦白筋が発生しやすいモードにおいては主走査方向のシフト量及び副走査方向の制御ライン周期が大きくなるように制御することで、副走査方向の縦白筋が拡散され、縦白筋の発生濃度レベルを小さくすることが可能となる。
【００７５】
また、白黒／文字モード等のようにランプ点灯ノイズによる副走査方向の縦白筋が発生しにくいモードにおいては、主走査方向のシフト量、及び、副走査方向の制御ライン周期が小さくなるように制御する。
【００７６】
このように、本実施形態における画像読取装置は、ランプ休止期間の終了タイミング、及び、ランプ点灯パルス発生タイミングの主走査方向の基準位置からのシフト量を、原稿の読み取りモード（カラー原稿／白黒原稿、文字原稿／写真原稿等）に応じて可変し、副走査方向にランプ点灯パルス発生位置が重複しないように制御することで、ランプ点灯ノイズによる副走査方向の縦白筋を軽減することが可能となる。
【００７７】
（第３の実施形態）
次に、第３の実施形態について説明する。
【００７８】
第３の実施形態の画像読取装置は、ランプ休止期間の終了タイミング、及び、ランプ点灯パルス発生タイミングの切り替えＯＮ／ＯＦＦを、原稿の読み取りモード（カラー原稿／白黒原稿、文字原稿／写真原稿等）に応じて制御することを特徴とするものである。以下、図７、図８を参照しながら、画像読取時の制御信号のタイミング制御方法について説明する。
【００７９】
例えば、カラー／写真モード等のように、ランプ点灯ノイズによる副走査方向の縦白筋が発生しやすいモードにおいては、ランプ点灯パルス発生タイミングの切り替え制御をＯＮにし、図８に示すように、主走査方向のシフト量、及び、副走査方向の制御ライン周期を制御することで、副走査方向の縦白筋が拡散され、縦白筋の発生濃度レベルを小さくすることが可能となる。
【００８０】
また、白黒／文字モード等のように、ランプ点灯ノイズによる副走査方向の縦白筋が発生しにくいモードにおいては、ランプ点灯パルス発生タイミングの切り替え制御をＯＦＦにする。
【００８１】
このように、ランプ休止期間の終了タイミング、及び、ランプ点灯パルス発生タイミングの切り替えＯＮ／ＯＦＦを、原稿の読み取りモード（カラー原稿／白黒原稿、文字原稿／写真原稿等）に応じて制御することで、副走査方向にランプ点灯パルス発生位置が重複しないように制御することになるため、ランプ点灯ノイズによる副走査方向の縦白筋を軽減することが可能となる。
【００８２】
（第４の実施形態）
次に、第４の実施形態について説明する。
【００８３】
第４の実施形態は、上述した第１〜第３の実施形態における画像読取装置を搭載した画像形成装置において、画像読取装置において読み取った画像データを基に印刷画像を形成し、出力することを特徴とするものである。これにより、上述した画像読取装置において読み取った画像データを印刷出力することが可能となる。なお、画像読取装置において読み取った画像データを外部出力装置に送信し、外部出力装置において印刷画像を出力することも可能である。
【００８４】
なお、上述する実施形態は、本発明の好適な実施形態であり、上記実施形態のみに本発明の範囲を限定するものではなく、本発明の要旨を逸脱しない範囲において種々の変更を施した形態での実施は可能である。例えば、上述した画像読取装置における制御動作をプログラムとして、また、そのプログラムをコンピュータ読み取り可能な記録媒体に記録して、複写機、プリンタ、ファクシミリ、またはこれらの複合機等の画像読取装置において実行させることでも上記実施形態における処理動作を構築することは可能である。
【産業上の利用可能性】
【００８５】
本発明にかかる画像読取装置、画像形成装置、画像読取方法、画像読取プログラム及び記録媒体は、複写機、プリンタ、ファクシミリ、複合機等の機器に適用可能である。
【図面の簡単な説明】
【００８６】
【図１】本実施形態における画像読取装置の構成を示す図である。
【図２】図１に示す画像読取装置の制御ブロックを示す図である。
【図３】図２に示す画像読取装置の制御ブロックの詳細を示す図である。
【図４】本実施形態における画像読取装置の具備するランプを制御する際の動作を説明するためのブロック図である。
【図５】本実施形態における画像読取装置の具備するランプを制御する際の動作を説明するための回路構成図である。
【図６】本実施形態における画像読取装置の具備するランプを制御する際の動作を説明するためのタイミングチャートであり、ランプＯＮ／ＯＦＦ信号（ＣＮＴ）と、ライン同期信号（ＴＧ−ＩＮＶ）と、のタイミングを示したものである。
【図７】本実施形態における画像読取装置の具備するランプを制御する際の動作を説明するためのタイミングチャートであり、ＴＧ−ＩＮＶ、ＧＡＴＥ及びＣＬＫとインバータ出力（光波形）のタイミングを示したものである。
【図８】本実施形態における画像読取装置の具備するランプを制御する際の動作を説明するためのタイミングチャートであり、初期状態のタイミング０に対してタイミングをシフトさせた場合の一例を示したものである。
【符号の説明】
【００８７】
１    レンズ
２    照明ランプ（照射手段）
３    第１ミラー
４    第３ミラー
５    第２ミラー
６    ＤＦ用原稿ガラス
７    ＳＣＵ
８    原稿台ガラス
９    走行体モータ
１０    ＳＢＵ（受光手段）
１１    原稿台
１２    原稿ガイド
１３    原稿セットセンサ
１４    呼び出しコロ
１５    搬送コロ
１６    給紙ベルト
１７    分離コロ
１８    第１搬送ローラ
１９    レジストセンサ
２０    反射ガイド板
２１    第２搬送ローラ
２２    排紙センサ
２３    搬送ローラ
２４    分岐爪
２５    反転ローラ
２６    反転テーブル
２７    原稿後端検知センサ
２８    原稿幅サイズ検知センサ
２９    原稿長サイズ検知センサ１
３０    原稿長サイズ検知センサ２
３１    第１キャリッジ
３２    第２キャリッジ
３３    ＶＩＯＢ
３６    ＯＩＰＵ
４０    ＩＳＩＣ
４１    ＮＩＣ
４３    ＳＯＰ
４４    ＰＳＵ
１００    ＣＣＤ
１０１    アナログ処理回路
１０２    Ａ／Ｄコンバータ
１０３    シェーディング部
１０４    ＩＰＵ（画像処理部）
１０５    メモリコントローラ
１０６    ＳＤＲＡＭ
１０７    外部Ｉ／Ｆ
１０８    ＣＰＵ
１０９    ＲＯＭ
１１０    ＲＡＭ
１１２    モータドライバ
１１４    ランプ安定器
１２０    外部出力装置
１３０    定電圧電源
１３１    インバータ回路
１３２    昇圧トランス
１３５    点灯制御部
１４２    ＴＧ−ＩＮＶ（ライン同期信号）
１４３    ＣＬＫ（クロック信号）
１４４    ＣＮＴ（コントロール信号）
１４５    ＧＡＴＥ（ゲート信号）
【図１】
2006074161.tif 000003
【図２】
2006074161.tif 000004
【図３】
2006074161.tif 000005
【図４】
2006074161.tif 000006
【図５】
2006074161.tif 000007
【図６】
2006074161.tif 000008
【図７】
2006074161.tif 000009
【図８】
2006074161.tif 000010